(57)【要約】  【課題】  ジェットカウンタ等の計数装置の回路自体に施される不正な細工を検知することができる不正計数検査機器や、このような不正計数検査機能を備えた遊技媒体計数装置を提供する。  【解決手段】  本発明の実施の形態に係るジェットカウンタ１は、パチンコ玉の通過によりパルスを発生する計数センサ１０、擬似的なパルスを発生する擬似パルス発生部材２０、制御ＣＰＵへ入力される信号として計数センサからのパルス又は擬似パルス発生部材からの擬似パルスの何れかを選択する入力切換器３０、受信したパルスをカウントする制御ＣＰＵ４０、制御ＣＰＵによるカウント値を呈示するプリンタ５０及びＬＥＤ表示部５１を備えている。【選択図】  図１
2005278870.tif 000002
【特許請求の範囲】
【請求項１】
遊技媒体の通過によりパルス信号を発生する計数センサと前記パルス信号をカウントする演算手段とを有する遊技媒体計数装置に施される不正な細工を検知するための不正計数検査機器であって、
前記計数センサが発生するパルス信号と同様の擬似的なパルス信号を発生する擬似パルス発生部材と、
前記擬似パルス信号を前記演算手段に送信するために、前記計数センサと前記演算手段との間の配線に接続するための接続部材と、を備えたことを特徴とする不正計数検査機器。
【請求項２】
遊技媒体の通過によりパルス信号を発生する計数センサと、
前記パルス信号と同様の擬似的なパルス信号を発生する擬似パルス発生部材と、
パルス信号をカウントする演算手段と、
前記演算手段へ入力される信号として、前記計数センサからのパルス信号又は前記擬似パルス信号の何れかを選択する切換手段と、
前記演算手段のカウント値を表示する表示手段と、を備えていることを特徴とする遊技媒体計数装置。
【請求項３】
前記擬似パルス発生部材は、前記遊技媒体係数装置が起動される時に、前記擬似パルスを発生するように構成されていることを特徴とする請求項２記載の遊技媒体係数装置。
【請求項４】
前記擬似パルス発生部材は、ランダムに前記擬似パルスを発生するように構成されていることを特徴とする請求項２又は３記載の遊技媒体係数装置。
【請求項５】
遊技媒体計数装置に装着される計数ユニットであって、
遊技媒体の通過によりパルス信号を発生する計数センサと、
前記パルス信号と同様の擬似的なパルス信号を発生する擬似パルス発生部材と、
この計数ユニットから出力される信号として、前記計数センサからのパルス信号又は前記擬似パルス信号の何れかを選択する切換手段と、
前記計数センサ、前記擬似パルス発生部材及び前記切換手段をその内部に保持し、ブラックボックス化するための筐体と、を備えていることを特徴とする計数ユニット。
【請求項６】
さらに、この計数ユニットを識別するための番号が付されたＩＣチップを、前記筐体内に備えていることを特徴とする請求項５記載の計数ユニット。
【請求項７】
遊技媒体計数装置に装着される遊技媒体計数演算ユニットであって、
遊技媒体の通過によりパルス信号を発生する係数センサと、
前記パルス信号と同様の擬似的なパルス信号を発生する擬似パルス発生部材と、
前記パルス信号をカウントする演算手段と、
前記演算手段へ入力される信号として、前記計数センサからのパルス信号又は前記擬似パルス信号の何れかを選択する切換手段と、
前記演算手段のカウント値を表示する表示手段と、
前記係数センサ、前記擬似パルス発生部材、前記演算手段、前記切換手段及び前記表示手段をその内部に保持し、ブラックボックス化するための筐体と、を備えていることを特徴とする遊技媒体計数演算ユニット。
【請求項８】
さらに、この遊技媒体計数演算ユニットを識別するための番号が付されたＩＣチップを、前記筐体内に供えていることを特徴とする請求項７記載の遊技媒体計数演算ユニット。
【請求項９】
遊技媒体計数装置に施される不正な細工を検知するための不正計数検査方法であって、
前記遊技媒体計数装置の計数センサから出力されるパルスに代えて、擬似的に発生される所定数の擬似パルスを用いて、不正計数を検知することを特徴とする不正計数検査方法。
【発明の詳細な説明】
【技術分野】
【０００１】
本発明は、パチンコ店やパチスロ店等に設置されるパチンコ玉やメダル等の遊技媒体を計数する遊技媒体計数装置に関し、特に遊技媒体計数装置の不正操作を防止する構造に関する。
【背景技術】
【０００２】
パチンコ店においては、パチンコ遊技者が獲得したパチンコ玉を景品に交換する際に、ジェットカウンタと呼ばれるパチンコ玉計数装置を利用して玉数がカウントされている。図７は、従来のジェットカウンタの概略斜視図を示している。同図の玉投入口に、遊技者や店員によりパチンコ玉が投入されると、ジェットカウンタ内部の計数部において、球数がカウントされ、ディスプレイ部にそのカウント値（玉数）が表示される。全ての玉を投入した後に、遊技者等が所定の終了ボタンを押すと、プリンタ部から総玉数が示されたバーコード付きのレシートが発行される。遊技者が、このレシートをパチンコ店の景品交換所に持って行くと、玉数に応じた景品に交換できるというシステムである。
【０００３】
ところが、近年、ジェットカウンタに対して不正操作を行ったり、不正な細工を施したりして、カウント値を大幅に増大させたり、逆に低減させるといった不正行為が横行している。このような不正行為は、パチンコ遊技者や店舗に損害を与えることになるので、従来から、このような不正行為を防止する機能を備えたジェットカウンタが開発されている。
【０００４】
例えば、下記特許文献１には、ジェットカウンタの玉投入口から棒状部材を突っ込んでカウンタ値を増大させるといった不正操作を防止する機能を備えたパチンコ玉計数装置が開示されている。このパチンコ玉計数装置においては、計数センサを通過したパチンコ玉が排出される箇所に排出センサを設置し、計数センサと排出センサとから出力される通過信号の時間差を測定している。そして、この時間差が規定値以上になると、不正操作によるカウント値であるとして、不正操作の監視を行っている。
【特許文献１】特開平５−２８５２６８号公報
【０００５】
また、下記特許文献２には、不正な電波をパチンコ玉計数装置に対して発信することでカウント値を増大させる、といった不正操作を防止するために、シャッタ構造を設けた装置が開示されている。
【特許文献２】特開２００２−１７２２５４号公報
【発明の開示】
【発明が解決しようとする課題】
【０００６】
しかしながら、近年は、ジェットカウンタの回路自体に不正な細工を施して、カウント値を増減させる不正行為も増加している。例えば、ジェットカウンタの回路内に、カウント値の増減を行う増減回路を設置するケースが見られる。この増減回路としては、回路上を流れるパルスを100個受けると、110個のパルスを発生させたり、90個のパルスを発生させたりして、カウント値を増減する回路が存在する。
上述した従来の不正対策では、このようなジェットカウンタの回路自体に施される不正行為に対応することができない。
【０００７】
本発明は、このような課題に鑑みてなされたものであり、ジェットカウンタ等の計数装置の回路自体に施される不正な細工を検知することができる不正計数検査機器や、このような不正計数検査機能を備えた遊技媒体計数装置を提供することを目的とする。
【課題を解決するための手段】
【０００８】
上記課題を解決するために、本発明に係る不正計数検査機器は、遊技媒体の通過によりパルス信号を発生する計数センサと前記パルス信号をカウントする演算手段とを有する遊技媒体計数装置に施される不正な細工を検知するための不正計数検査機器であって、前記計数センサが発生するパルス信号と同様の擬似的なパルス信号を発生する擬似パルス発生部材と、前記擬似パルス信号を前記演算手段に送信するために、前記計数センサと前記演算手段との間の配線に接続するための接続部材と、を備えたことを特徴とする。
また、本発明に係る遊技媒体計数装置は、遊技媒体の通過によりパルス信号を発生する計数センサと、前記パルス信号と同様の擬似的なパルス信号を発生する擬似パルス発生部材と、パルス信号をカウントする演算手段と、前記演算手段へ入力される信号として、前記計数センサからのパルス信号又は前記擬似パルス信号の何れかを選択する切換手段と、前記演算手段のカウント値を表示する表示手段と、を備えていることを特徴とする。
【０００９】
また、本発明に係る計数ユニットは、遊技媒体計数装置に装着される計数ユニットであって、遊技媒体の通過によりパルス信号を発生する計数センサと、前記パルス信号と同様の擬似的なパルス信号を発生する擬似パルス発生部材と、この計数ユニットから出力される信号として、前記計数センサからのパルス信号又は前記擬似パルス信号の何れかを選択する切換手段と、前記計数センサ、前記擬似パルス発生部材及び前記切換手段をその内部に保持し、ブラックボックス化するための筐体と、を備えていることを特徴とする。
【００１０】
また、本発明に係る遊技媒体計数演算ユニットは、遊技媒体計数装置に装着されるジェットカウンタユニットであって、遊技媒体の通過によりパルス信号を発生する計数センサと、前記パルス信号と同様の擬似的なパルス信号を発生する擬似パルス発生部材と、前記パルス信号をカウントする演算手段と、前記演算手段へ入力される信号として、前記計数センサからのパルス信号又は前記擬似パルス信号の何れかを選択する切換手段と、前記演算手段のカウント値を表示する表示手段と、前記計数センサ、前記擬似パルス発生部材、前記演算手段、前記切換手段及び前記表示手段をその内部に保持し、ブラックボックス化するための筐体と、を備えていることを特徴とする。
【００１１】
また、本発明に係る不正計数検査方法は、遊技媒体計数装置に施される不正な細工を検知するための不正計数検査方法であって、前記遊技媒体計数装置の計数センサから出力されるパルスに代えて、擬似的に発生される所定数の擬似パルスを用いて、不正計数を検知することを特徴とする。
【発明の効果】
【００１２】
本発明に係る不正計数検査機器及び不正計数検査機能を有する遊技媒体計数装置によれば、簡単な構成により、手軽且つ確実に遊技媒体計数装置に施される不正な細工を検知することができる。また、本発明に係る計数ユニットによれば、ユニット内をブラックボックス化したことにより、よりセキュリティを高めることができる。また、本発明に係る不正計数検査方法によれば、簡単な方法で確実に、遊技媒体計数装置に施される不正な細工を検知することができる。
【発明を実施するための最良の形態】
【００１３】
以下、図面を参照しながら、本発明の実施の形態について詳細に説明する。
（第１の実施形態）
図１は、第１の実施の形態に係る不正計数検査機能を備えたジェットカウンタ１の概略構成を示すブロック図である。なお、筐体の形状等、その他の構成については、図４に示す従来のジェットカウンタと同様であるので、説明を省略する。同図に示すように、ジェットカウンタ１は、計数センサ１０、擬似パルス発生部材２０、入力切換器３０、制御ＣＰＵ４０、プリンタ５０、ＬＥＤ表示部５１を備えている。
【００１４】
計数センサ１０は、ジェットカウンタ１の玉投入口に投入されたパチンコ玉の通過を、センサで検知することでカウントする部材である。センサの方式としては、光センサ方式、コイル方式、スイッチ方式等が従来から知られており、例えば、特開2000-140215号公報に開示されている。光センサ方式は、パチンコ玉の通路に発光素子と受光素子とを設置し、パチンコ玉の通過によって光路が遮られることを利用して、玉数をカウントする方式である。コイル方式は、パチンコ玉の通路にコイルを設置し、パチンコ玉の通過によってコイルのインダクタンスが変化することを利用して玉数をカウントする、いわゆる近接センサの原理を利用した方式である。スイッチ方式は、パチンコ玉の通路に、機械式スイッチを設置し、パチンコ玉の通過によってスイッチが押されることを利用して、玉数をカウントする方式である。計数センサ１０は、パチンコ玉が通過する度にパルスを発生し、玉数を示すパルス信号が入力切換器３０へと送信される。
【００１５】
擬似パルス発生部材２０は、計数センサ１０が発生するパルス信号と同じ信号を所定の数だけ擬似的に発生させる回路であり、擬似パルス発生回路２１及びパルス数指定部材２２とを有している。パルス数指定部材２２は、擬似パルス発生回路２１が発生するパルス信号の数を指定する回路である。よって、パルス数指定部材２２が「100」と指定すると、擬似パルス発生回路２１は、計数センサ１０を100個のパチンコ玉が通過する際に発生するパルス信号と同じ信号を発生する。このパルス数指定部材２２は、ディップスイッチで構成し、「1,000」又は「10,000」の数を切り替えて指定できるようにすれば良い。また、数字キーにより任意の数を設定できるようにしても良い。
【００１６】
入力切換器３０は、計数センサ１０からの信号又は擬似パルス発生部材２０からの信号の何れかを選択して、制御ＣＰＵ４０へ送信するための部材である。この切換は、ディップスイッチや外部からの指令等により任意に切換可能に構成される。また、入力切換器３０は、単なる加算回路であっても良い。但し、加算回路とする場合には、計数センサ１０からパルスが発生している際には、擬似パルス発生部材２０を非動作とし、逆に、擬似パルス発生部材２０からパルスが発生している際には、計数センサを非動作とする必要ある。この一方のパルス発生を非動作とするのは、ハードウェア的に実現しても良いし、人的に実現しても良い。
【００１７】
制御ＣＰＵ４０は、ジェットカウンタ１全体の制御を行うための演算装置である。ここでは、入力切換器３０からのパルス信号を累算して、玉投入口に投入されたパチンコ玉の総数を表すカウント値を求め、プリンタ５０及びＬＥＤ表示部５１に対して、このカウント値を出力する。なお、ＬＥＤ表示部５１へは、入力切換器３０からパルスが送信されてくる度に、随時累積カウント値が送信され、よってＬＥＤ表示部５１には、常に現在のカウント値が表示される。また、玉投入口へ投入された全てのパチンコ玉のパルスの累算が終了した後、遊技者によりジェットカウンタ１の終了ボタン（不図示）が押されると、プリンタ５０へ総数を表すカウント値が送信される。
【００１８】
プリンタ５０は、制御ＣＰＵ４０に制御されて、総数を表すカウント値をバーコード付きでレシートに印刷して出力する。遊技者は、このレシートを景品交換所に持って行き、玉数に応じた景品を受け取ることができる。
【００１９】
次に、このような構成を有するジェットカウンタ１の不正計数検査機能を用いて、不正計数を検知する処理について詳細に説明する。まず、店員がパルス数指定部材２２のディップスイッチを操作して、擬似パルスの数を、例えば「1,000」に指定する。さらに、入力切換器３０のディップスイッチを擬似パルス発生部材２０側に切り替える。そうすると、擬似パルス発生部材２０から、1,000個の擬似パルスが生成され、制御ＣＰＵ４０へと送信される。この1,000個のパルスは、制御ＣＰＵ４０で累算され、カウント値が、随時ＬＥＤ表示部５１へ送信される。最終的にＬＥＤ表示される数値が1,000であれば、ジェットカウンタ１に対して、不正な細工が施されていないことが分かる。また、ＬＥＤ表示される数値が、1,000より大きかったり、小さかったりすると、ジェットカウンタの回路自体に不正な細工が施されていることがわかる。
【００２０】
具体的には、上記処理により、計数センサ１０〜入力切換器３０〜制御ＣＰＵ４０〜ＬＥＤ表示部５１の間の回路に施されている不正な細工を検知することができる。さらに、終了ボタンを押して、プリンタ５０にレシートを印刷させれば、さらに制御ＣＰＵ４０〜プリンタ５０の間の回路に施されている不正な細工を検出することもできる。このような不正細工のチェックは、毎朝、開店前に店員が検査を行い、検査をパスしたジェットカウンタのみを起動するようにすれば、不正計数を前もって防止することができる。
以上、詳細に説明した、不正計数検査機能付きジェットカウンタによれば、簡単な構成により、ジェットカウンタの回路自体に施される不正な細工を確実に検出することができる。
【００２１】
なお、本実施の形態においては、擬似パルス発生部材２０と入力切換器３０を、ジェットカウンタ１内に一体に設置する構成としているが、擬似パルス発生部材と入力切換器を別体にして不正計数検査機器として構成しても良い。また、不正計数検査機器とする場合には、入力切換器は、単なる接続コネクタや導線等の接続部であっても良い。すなわち、擬似パルス発生部材を備えた不正計数検査機器が、計数センサの出力に代えて、擬似パルスを制御ＣＰＵ４０に送信できるように、計数センサ１０〜制御ＣＰＵ４０の間の回路に接続できる接続部を有していれば良い。
【００２２】
このような不正計数検査機器は、ポータブル性に優れ、必要な時にだけ持ち運んで、不正細工をチェックすることができる。また、この不正計数検査機器であれば、接続部を計数センサ１０〜制御ＣＰＵ４０の回路間に接続するだけで、従来のジェットカウンタに対しても簡単に不正計数を検知することができるので、コスト的にも有利である。
【００２３】
また、第１の実施の形態では、検査者が、パルス数指定部材２２の出力とプリンタ５０及びＬＥＤ表示部５１の出力とを、目視でチェックし、不正の検知を行っているが、パルス数指定部材２２の指定値と制御ＣＰＵ４０とのカウント値を比較する比較回路を別途設置しても良い。そして、比較回路の比較結果により、指定値とカウント値が異なる場合に、不正検知信号を出力するように構成すれば、検査を自動化することができる。また、パルス数指定部材２２を他の機器と接続可能に構成し、外部からの制御信号に基づいて、所定のパルス数を指定するように構成しても良い。
【００２４】
（第２の実施形態）
続いて、図面を参照して、本発明の第２の実施の形態について詳細に説明する。図２は、第２の実施の形態に係る不正計数検査機能付き計数ユニット５の概略構成を示すブロック図である。この計数ユニット５は、第１の実施形態に係るジェットカウンタ１の構成部材のうち、計数センサ１０、擬似パルス発生部材２０及び入力切換器３０に、セキュリティＩＤチップ６０及びコネクタ６５を加え、筐体６８に固定保持させて、ユニット化したものである。なお、第１の実施形態と同じ部材には同じ番号を付し説明を省略する。
【００２５】
セキュリティＩＤチップ６０には、ユニット毎に固有の識別番号が付されており、この識別番号により、各ユニットを識別可能である。また、コネクタ６５は、制御ＣＰＵ４０に接続するための接続部としてのコネクタである。図示は省略するが、制御ＣＰＵ４０が保持されたジェットカウンタ本体側にも、このコネクタ６０と接続するためのコネクタが設けられている。
筐体６８は、ドライバ等の工具によって簡単に開けることができないように、かしめて固定され、ブラックボックス化されている。よって、遊技客や店員が、この筐体６８を開けて内部の回路に不正な細工を施すことができない構成となっている。
【００２６】
この計数ユニット５によれば、第１の実施の形態と同様な手順で不正計数を検知することができ、制御ＣＰＵ４０〜プリンタ５０及びＬＥＤ表示部５１の間の回路に施された不正な細工を検知することができる。さらに、計数ユニット５は、筐体６８によりブラックボックス化されており、筐体６８内の回路への不正な細工を防止することができる。また、各計数ユニット５には、セキュリティＩＤチップ６０が埋め込まれているので、各計数ユニット５を特定することが可能であり、ユニット自体を不正に交換するといったことも防ぐことが可能である。
【００２７】
なお、本実施の形態においては、計数ユニット５内にＣＰＵを搭載し、入力切換器３０からの出力を暗号化するためのエンコード機能を持たせるように構成しても良い。この場合には、制御ＣＰＵ４０に、デコーダ機能を持たせる必要がある。このように、信号を暗号化することで、よりセキュリティを向上させることができる。さらに、制御ＣＰＵ４０〜プリンタ５０及びＬＥＤ表示部５１間の通信を暗号化して、よりセキュリティを向上させるように構成しても良い。この場合には、プリンタ５０及びＬＥＤ表示部５１にもデコーダ機能を持たせるように構成する必要がある。
【００２８】
また、本実施の形態においては、計数ユニット５の筐体６８に電磁シールド部材を設置しても良い。このように電磁シールド部材を設置すると、不正な電波が計数ユニット５内の回路に伝達されることを防止でき、電波によりカウント値を増大させるような不正操作も防止することができる。特に、計数センサ１０に、コイル方式を採用している場合には、電波によりコイルのインダクタンスを変化させるといった不正な操作も防止することができる。
【００２９】
また、本実施の形態においては、擬似パルス発生部材２０を、所定の数のパルスを所定のタイミングで自動的に発生させる擬似パルス発生部材として構成しても良い。このような構成は、擬似パルス発生部材に演算機能を具備させ、図示しない記憶手段に格納された所定のプログラムを実行するように構成することで達成される。所定のタイミングとしては、毎朝、ジェットカウンタが起動される時と、ランダムな不定期に、擬似パルスを発生させるように設定すれば良い。このように、ランダムな時期に擬似パルスを発生させ、不正計数の検査を行えば、起動時には検査自体をくぐり抜けるといった不正を施されていたとしても、不定期の不正検査によって不正を検知することができる。
【００３０】
また、第２の実施形態に係る計数ユニット５は、図３に示すように、擬似パルス発生回路２１及びパルス数指定部材２２に接続するための制御用コネクタ６６を、筐体６８に設けるように構成しても良い。図示は省略するが、この制御用コネクタ６６に、擬似パルス発生回路２１及びパルス数指定部材２２への制御信号を発生させるためのスイッチ等の機器が接続される。このように構成すれば、制御ＣＰＵ４０を介さないで、擬似パルスを発生させるタイミング及びパルス数を、計数ユニットの外部から任意に指定することが可能になる。
【００３１】
なお、制御用コネクタ６６を設置する代わりに、計数ユニット５内に、無線ＬＡＮ等の無線通信機能を実現するための機器を設置し、無線通信により、擬似パルス発生回路２１及びパルス数指定部材を制御するように構成しても良い。無線通信を用いる場合には、通信データを暗号化データとすることが好ましい。
【００３２】
また、本実施の形態に係る計数ユニット５は、図４に示すように、セキュリティＩＤチップ８２内に入力切換器３０を内蔵するように構成しても良い。このように構成すれば、入力切換器３０に不正な細工が施されることを、確実に防止することができる。
【００３３】
（第３の実施形態）
続いて、本発明の第３の実施形態について詳細に説明する。図５は、遊技媒体計数演算ユニットとしての本実施の形態に係る不正計数検査機能付きジェットカウンタユニット７０の概略構成を示すブロック図である。このジェットカウンタユニット７０は、第１の実施形態に係るジェットカウンタ１の構成部材のうち、計数センサ１０、擬似パルス発生部材２０、入力切換器３０、制御ＣＰＵ４０及びＬＥＤ表示部５１に、セキュリティＩＤチップ６０及びコネクタ７５を加え、筐体７１に固定保持させて、ユニット化したものである。なお、上述した第１及び第２の実施形態と同じ部材には同じ番号を付し説明を省略する。
【００３４】
筐体は、７１は、第２の実施形態と同様に、ドライバ等の工具によって簡単に開けることができないように、かしめて固定され、ブラックボックス化されている。
本実施の形態のジェットカウンタユニット７０によれば、筐体７１によって、計数センサ１０、擬似パルス発生部材２０、入力切換器３０、制御ＣＰＵ４０及びＬＥＤ表示部５１がブラックボックス化されているので、これら筐体７１の回路への不正な細工を防止することができる。
【００３５】
もちろん、本実施形態においても、第２の実施形態と同様に、擬似パルス発生回路２１及びパルス数指定部材２２に接続するための制御用コネクタを別途設けたり、無線通信により擬似パルス発生部材２０への制御を行ったりするように構成しても良い。また、セキュリティＩＤチップ内６０に入力切換器３０を内蔵させるように構成しても良い。また、擬似パルス発生部材２０を、所定の数のパルスを所定のタイミングで自動的に発生させる擬似パルス発生部材として構成しても良い。
【００３６】
以上、第１の実施の形態に係る不正計数検査機能付きジェットカウンタ、第２の実施の形態に係る不正計数検査機能付き計数ユニット及び第３の実施の形態に係るジェットカウンタユニットについて詳細に説明したが、本発明の実施の形態は上記構成に限定されるものではなく、本発明の趣旨を逸脱しない範囲内で、種々の変形が可能である。
例えば、上記実施の形態では、パチンコ玉のカウント値を表示する部材として、ＬＥＤ表示部５１を用いているが、液晶表示装置等の他の表示装置を表示部材として用いても良い。
【００３７】
また、第１乃至第３の実施形態では、各ジェットカウンタ１をスタンドアロンで使用して、ジェットカウンタ１毎に単独で不正を検知する形態について説明したが、同一店内に設置されたジェットカウンタ、さらには複数の店舗内に設置されたジェットカウンタをネットワークで接続して、管理センタの管理用コンピュータによって一括して集中管理するように構成しても良い。
【００３８】
図６は、複数のジェットカウンタを集中管理する場合のイメージを示す図である。同図に示すように、複数のジェットカウンタ１−１，１−２，１−３…が、ネットワーク１１０を介して、管理用コンピュータ１００に接続される構成となっている。
ネットワーク１１０は、同一店舗内のジェットカウンタ１であれば、有線又は無線ＬＡＮを用いれば良い。また、複数の店舗内のジェットカウンタ１を接続する場合には、インターネット回線等の公衆回線により接続しても良いが、セキュリティを高めるためには、専用線により接続するのが好ましい。
【００３９】
上記構成において、管理用コンピュータ１００の指令により、自動で検査が実行される。具体的には、各ジェットカウンタ１の入力切換器３０に対して、入力を擬似パルス発生部材２０側に切り換える指令が出され、パルス数指定部材２２に対して、所定の数、例えば「1,000」のパルス数を指定する指令が出される。その後、制御ＣＰＵ４０のカウント値が管理コンピュータ１００に送信され、管理コンピュータ１００において、指定パルス数とカウント値の比較が行われ、双方の値が一致しないジェットカウンタ、すなわち不正な細工が施されたジェットカウンタが抽出される。
【００４０】
また、第１及び第２実施の形態では、パチンコ玉の計数装置を例にとって説明したが、本発明はパチンコ玉に限られるものではなく、パチスロのメダル等の他の遊技用媒体の計数装置であっても適用可能である。メダル計数装置の場合には、計数センサとして、光センサ方式を適用することが好ましい。
【図面の簡単な説明】
【００４１】
【図１】本発明の第１の実施の形態に係るジェットカウンタの概略構成を示すブロック図である。
【図２】本発明の第２の実施の形態に係る計数ユニットの概略構成を示す図である。
【図３】本発明の第２の実施の形態に係る計数ユニットの変形例を示す図である。
【図４】本発明の第２の実施の形態に係る計数ユニットの変形例を示す図である。
【図５】本発明の第３の実施の形態に係るジェットカウンタの概略構成を示す図である。
【図６】本発明の実施の形態の変形例に係る複数のジェットカウンタを集中管理する場合のイメージを示す図である。
【図７】従来のジェットカウンタの構成を示す概略斜視図である。
【符号の説明】
【００４２】
１      ジェットカウンタ
５      計数ユニット
１０    計数センサｋ
２０    擬似パルス発生部材
３０    入力切換器
４０    制御ＣＰＵ
５０    プリンタ
５１    LED表示部６０
６５    コネクタ
６６    制御用コネクタ
６８    筐体
７０    ジェットカウンタユニット
７１    筐体
７５    コネクタ
【図１】
2005278870.tif 000003
【図２】
2005278870.tif 000004
【図３】
2005278870.tif 000005
【図４】
2005278870.tif 000006
【図５】
2005278870.tif 000007
【図６】
2005278870.tif 000008
【図７】
2005278870.tif 000009